(57)【特許請求の範囲】
【請求項１】
１つ又は複数の外部管理エンティティによって管理可能である複数のコンフィギュレーション・データ・セットと、複数のアプリケーションと、を有する装置内におけるコンフィギュレーションの使用を許可するシステムのための方法において、
前記システムは、外部管理エンティティに由来する、前記複数のコンフィギュレーション・データ・セットの各々にアクセスする権限を定義するアクセス制御情報を有しており、
前記複数のコンフィギュレーション・データ・セットは、コンフィギュレーション管理ソフトウェアによって制御され、
前記方法は、前記複数のコンフィギュレーション・データ・セットのうちの１つに対するアクセスを要求しているアプリケーションからの通知に応答し、前記アクセス制御情報を、前記装置がチェックする段階と、
前記アクセス制御情報に基づいて、前記アプリケーションに、前記複数のコンフィギュレーション・データ・セットのうちの前記１つに対してアクセスする権限が付与されているという状況に応答し、前記複数のコンフィギュレーション・データ・セットのうちの前記１つに対するアクセスを前記アプリケーションに、前記装置が許可する段階と、を有し、
少なくとも１つのサービスコンテキストが前記装置内に保存されており、
前記サービスコンテキストは、少なくとも前記複数のコンフィギュレーション・データ・セットのうちの前記１つを有しており、
前記アプリケーションが、前記外部管理エンティティにより、前記サービスコンテキストと関連付けられたアクセス制御情報内において認可されている場合には、前記サービスコンテキストに対するアクセスが、前記アクセス制御情報に基づいて、前記アプリケーションに対して許容されることを特徴とする方法。
【請求項２】
前記複数のコンフィギュレーション・データ・セットのうちの２つ以上が前記アプリケーションに提供されているという状況に応答し、前記アプリケーションのためのコンフィギュレーション・データ・セットの選択を、前記装置が実行する段階を含むことを特徴とする請求項１に記載の方法。
【請求項３】
前記複数のコンフィギュレーション・データ・セットの少なくとも一部に基づいて前記アプリケーションによるサービスを、前記装置が提供する段階を有することを特徴とする請求項１又は２に記載の方法。
【請求項４】
前記外部管理エンティティの装置管理サーバーと前記装置との間における装置管理セッション又は接続を、前記装置管理サーバーが確立する段階と、
前記装置管理セッション又は前記接続によって前記複数のコンフィギュレーション・データ・セットのうちの少なくとも１つ及び／又は前記アクセス制御情報を、前記装置管理サーバーが伝送する段階と、
前記複数のコンフィギュレーション・データ・セットのうちの少なくとも１つ及び／又は前記アクセス制御情報を前記装置内に、該装置が保存する段階と、
を含むことを特徴とする請求項１ないし３のいずれか１項に記載の方法。
【請求項５】
装置管理サーバーと、管理対象である装置管理クライアントと、を有する装置管理システムであって、
少なくとも１つのノードを有する管理構造によって少なくとも１つの装置管理クライアントを管理するべく構成されているデータ管理システムにおいて、
コンフィギュレーション・データ・セットにアクセスする権限を定義する、外部管理エンティティに由来するアクセス制御情報を保存するべく構成されており、
前記コンフィギュレーション・データ・セットは、コンフィギュレーション管理ソフトウェアによって制御され、
前記コンフィギュレーション・データ・セットに対するアクセスを要求しているアプリケーションからの通知に応答し、前記アクセス制御情報をチェックするべく構成されており、
前記アクセス制御情報に基づいて、前記アプリケーションに、前記コンフィギュレーション・データ・セットに対してアクセスする権限が付与されているという状況に応答し、
前記コンフィギュレーション・データ・セットに対するアクセスを前記アプリケーションに提供するべく構成されており、
前記コンフィギュレーション・データ・セットの少なくとも一部に基づいて前記アプリケーションによるサービスを提供するべく構成されており、
前記装置管理システムは、少なくとも前記コンフィギュレーション・データ・セットを有する少なくとも１つのサービスコンテキストを保存するようにされ、
前記装置管理システムは、前記アプリケーションが前記サービスコンテキストと関連付けられたアクセス制御情報に基づいて認可されている場合に、前記アクセス制御情報に基づいて前記アプリケーションが前記サービスコンテキストにアクセスすることを許容するようにされることを特徴とする装置管理システム。
【請求項６】
１つ又は複数の外部管理エンティティによって管理可能である複数のコンフィギュレーション・データ・セットを保存する手段と、複数のアプリケーションとを有するデータ処理装置であって、
前記データ処理装置は、前記複数のコンフィギュレーション・データ・セットの各々に対してアクセスする権限を定義する、外部管理エンティティに由来するアクセス制御情報を保存するメモリと、
コンフィギュレーション・データ・セットに対するアクセスを必要としているアプリケーションからの通知に応答し、前記アクセス制御情報をチェックする手段と、
前記アクセス制御情報に基づいて、前記アプリケーションに、前記複数のコンフィギュレーション・データ・セットのうちの１つに対してアクセスする権限が付与されているという状況に応答し、前記複数のコンフィギュレーション・データ・セットのうちの前記１つに対するアクセスを前記アプリケーションに許可する手段と、を備え、
前記複数のコンフィギュレーション・データ・セットは、コンフィギュレーション管理ソフトウェアによって制御され、
前記データ処理装置は、少なくとも前記複数のコンフィギュレーション・データ・セットのうちの前記１つを有する少なくとも１つのサービスコンテキストを保存するようにされ、
前記データ処理装置は、前記アプリケーションが、前記外部管理エンティティにより、前記サービスコンテキストと関連付けられたアクセス制御情報内において認可されている場合には、前記アクセス制御情報に基づいて前記アプリケーションが前記サービスコンテキストにアクセスすることを許容するようにされることを特徴とするデータ処理装置。
【請求項７】
前記データ処理装置は、前記アプリケーションからの前記複数のコンフィギュレーション・データ・セットのうちの前記１つに対するアクセス要求に応答し、前記アクセス制御情報をチェックするべく構成されている、ことを特徴とする請求項６に記載のデータ処理装置。
【請求項８】
前記データ処理装置は、前記複数のコンフィギュレーション・データ・セットの少なくとも一部に基づいて前記アプリケーションによるサービスを提供する手段を備えることを特徴とする請求項６又は７に記載のデータ処理装置。
【請求項９】
少なくとも前記複数のコンフィギュレーション・データ・セットのうちの前記１つを有する少なくとも１つのサービスコンテキストが前記データ処理装置内に保存されており、
前記データ処理装置は、前記アプリケーションが、前記外部管理エンティティにより、前記サービスコンテキストと関連付けられたアクセス制御情報内において認可されている場合には、前記アクセス制御情報に基づいて前記アプリケーションが前記サービスコンテキストにアクセスすることを許容するべく構成されている、請求項６ないし８のいずれか１項に記載のデータ処理装置。
【請求項１０】
前記サービスコンテキストは、前記データ処理装置のアプリケーションによって保存されたユーザー関連データを更に有することを特徴とする請求項９に記載のデータ処理装置。
【請求項１１】
前記複数のコンフィギュレーション・データ・セットのうちの前記１つは、サービスにアクセスするための前記データ処理装置から１つ又は複数のネットワークリソースへの接続を提供するのに必要な設定を有しており、
前記データ処理装置は、前記設定に基づいて１つ又は複数のネットワークリソースへの接続を確立するべく構成されていることを特徴とする請求項６ないし１０のいずれか１項に記載のデータ処理装置。
【請求項１２】
前記データ処理装置は、前記複数のコンフィギュレーション・データ・セットのうちの２つ以上が前記アプリケーションに提供されているという状況に応答し、前記アプリケーションのためのコンフィギュレーション・データ・セットの選択を実行する手段を有する請求項６ないし１１のいずれか１項に記載のデータ処理装置。
【請求項１３】
前記複数のコンフィギュレーション・データ・セットのうちの前記１つにアクセスするべく認可された前記アプリケーションと前記複数のコンフィギュレーション・データ・セットのうちの前記１つを有するストレージ位置の間のデータ転送が保護されていることを特徴とする請求項６ないし１２のいずれか１項に記載のデータ処理装置。
【請求項１４】
前記複数のコンフィギュレーション・データ・セットのうちの前記１つに対するアクセスは、前記アクセス制御情報内の既定の識別子と前記アプリケーションと関連付けられた証明書内の識別子の間の比較と、前記アプリケーションの供給源の認証とに基づいて制御されていることを特徴とする請求項６ないし１３のいずれか１項に記載のデータ処理装置。
【請求項１５】
前記データ処理装置は、ＯＭＡ装置管理規格に準拠した装置管理クライアントを有しており、
前記データ処理装置は、装置管理サーバーから前記データ処理装置内の管理ツリーのノードに対する装置管理命令に基づいて、コンフィギュレーション・データ・セットを追加及び／又は変更するべく構成されている、請求項６ないし１４のいずれか１項に記載のデータ処理装置。
【請求項１６】
管理命令を管理対象装置に伝送する手段を有するデータ処理装置であって、
前記データ処理装置は、前記管理対象装置内のコンフィギュレーション・データ・セットにアクセスするための前記管理対象装置内のアプリケーションの権限を定義する、外部管理エンティティに由来するアクセス制御情報を制御する手段であって、前記コンフィギュレーション・データ・セットは、コンフィギュレーション管理ソフトウェアによって制御される、手段を有し、
前記データ処理装置は、少なくとも前記コンフィギュレーション・データ・セットを有する少なくとも１つのサービスコンテキストを保存するようにされ、
前記データ処理装置は、前記アプリケーションが、外部管理エンティティにより、前記サービスコンテキストと関連付けられたアクセス制御情報内において認可されている場合には、前記アクセス制御情報に基づいて前記アプリケーションが前記サービスコンテキストにアクセスすることを許容するようにされることを特徴とするデータ処理装置。
【請求項１７】
前記データ処理装置は、前記管理対象装置との装置管理セッションを確立するべく構成されており、
前記データ処理装置は、前記管理対象装置の管理ツリー内の前記アクセス制御情報及び／又は前記コンフィギュレーション・データ・セットを表すノードに対してアドレス指定された装置管理命令を形成するべく構成されており、
前記データ処理装置は、前記装置管理命令を前記管理対象装置に対して伝送するべく構成されていることを特徴とする請求項１６に記載のデータ処理装置。
【請求項１８】
データ処理装置は、ＯＭＡ装置管理規格に準拠した装置管理サーバーであることを特徴とする請求項１６又は１７に記載のデータ処理装置。
【請求項１９】
データ処理装置のメモリ内にダウンロード可能であるコンピュータプログラムであって、前記コンピュータプログラムは、コンピュータプログラムコードを有しており、
前記コンピュータプログラムコードが前記データ処理装置のプロセッサ内において実行された際に、前記データ処理装置は、
コンフィギュレーション・データ・セットへのアクセスを必要としているアプリケーションからの通知に応答し、コンフィギュレーション・データ・セットにアクセスする権限を定義する、外部管理エンティティに由来するアクセス制御情報をチェックし、ここで、前記コンフィギュレーション・データ・セットは、コンフィギュレーション管理ソフトウェアによって制御されるものであり、
前記アクセス制御情報に基づいて、前記アプリケーションに、前記コンフィギュレーション・データ・セットに対してアクセスする権限が付与されているという状況に応答し、
前記アプリケーションに、前記コンフィギュレーション・データ・セットに対するアクセスを提供し、
少なくとも１つのサービスコンテキストが前記データ処理装置内に保存されており、
前記サービスコンテキストは、少なくとも前記コンフィギュレーション・データ・セットを有しており、
前記アプリケーションが、外部管理エンティティにより、前記サービスコンテキストと関連付けられたアクセス制御情報内において認可されている場合には、前記サービスコンテキストに対するアクセスが、前記アクセス制御情報に基づいて、前記アプリケーションに対して許容されことを特徴とするコンピュータプログラム。
【発明の詳細な説明】
【技術分野】
【０００１】
本発明は、複数のコンフィギュレーションを有する装置内におけるコンフィギュレーションの使用法に関するものであり、更に詳しくは、１つ又は複数の外部管理装置によって管理可能であるコンフィギュレーション・データ・セットに対するアクセスの制御法に関するものである。
【背景技術】
【０００２】
移動局などの様々なデータ処理装置の複雑化に伴い、装置管理の重要性が増大している。装置は、インターネットのアクセスポイントと関連する設定など、いくつかの異なる設定を必要としており、これらをユーザーが手動で設定するのは、根気を必要とし、且つ、困難である。この問題を解決するべく、企業情報システムの管理者や遠隔操作装置によって装置内の適切な構成を設定できるように、装置管理ソリューションが開発されている。装置管理とは、一般に、装置を使用していない人物による装置のコンフィギュレーションの変更を実現するアクションを意味しており、例えば、設定や、場合によっては、装置が使用しているプロトコルを変更可能である。装置固有の設定以外にも、ユーザープロファイル、ロゴ、着信音、及びユーザーが装置の設定を個人的に変更することができるメニューなどのユーザー固有のデータを伝送することも可能である。この変更は、装置管理との関連において自動的に実行される。
【０００３】
装置管理規格の１つが、ＯＭＡ（Ｏｐｅｎ  Ｍｏｂｉｌｅ  Ａｌｌｉａｎｃｅ）ＤＭ（Ｄｅｖｉｃｅ  Ｍａｎａｇｅｍｅｎｔ）であり、これは、部分的に、ＳｙｎｃＭＬ（Ｓｙｎｃｈｒｏｎｉｚａｔｉｏｎ  Ｍａｒｋｕｐ  Ｌａｎｇｕａｇｅ）プロトコルに基づいている。例えば、パーソナル・コンピュータ（ＰＣ）は、装置管理プロトコルにおいては、装置管理サーバーとして機能可能であり、移動局は、装置管理クライアントとして機能可能である。装置管理クライアント内の管理対象項目は、管理オブジェクトとして設けられている。管理オブジェクトとは、装置管理クライアント内においてサーバー管理命令によって管理可能なエンティティのことである。管理オブジェクトは、例えば、背景画像やスクリーンセーバーなどの数値や大規模なエンティティであってよい。ＯＭＡ装置管理においては、管理オブジェクトは、管理ツリー内に設けられている。
【０００４】
いくつかの代表的な管理可能項目は、例えば、ＧＰＲＳ（Ｇｅｎｅｒａｌ  Ｐａｃｋｅｔ  Ｒａｄｉｏ  Ｓｅｒｖｉｃｅ）接続設定などの通信事業者固有の接続設定を有している。ＯＭＡ  ＤＭ手順によれば、ユーザー端末装置内のこれらの通信事業者固有の設定の組、これは、コンフィギュレーションとも呼ばれている、は、通信事業者が制御している管理サーバーによって維持可能である。例えば、サービスプロバイダのＷＡＰサービスを使用するためのＷＡＰ（Ｗｉｒｅｌｅｓｓ  Ａｐｐｌｉｃａｔｉｏｎ  Ｐｒｏｔｏｃｏｌ）設定は、端末装置用のコンフィギュレーション・コンテキストとして提供可能である。
【先行技術文献】
【非特許文献】
【０００５】
【非特許文献１】ＯＭＡ規格「ＳｙｎｃＭＬ  Ｄｅｖｉｃｅ  Ｍａｎａｇｅｍｅｎｔ  Ｐｒｏｔｏｃｏｌ」（バージョン１．１．２、２００３年１２月１２日、４１ページ）
【非特許文献２】ＯＭＡ規格「ＳｙｎｃＭＬ  Ｍａｎａｇｅｍｅｎｔ  Ｔｒｅｅ  ａｎｄ  Ｄｅｓｃｒｉｐｔｉｏｎ」（バージョン１．１．２、２００３年１２月２日、４４頁）
【発明の概要】
【発明が解決しようとする課題】
【０００６】
いくつかの管理対象項目は、スクリーンセーバーや着信音などのユーザー固有の制御された情報から構成可能である。又、装置は、例えば、ファイルシステム、イントラネットページ、及び電子メールシステムなどの企業情報システムにアクセスするべく使用することも可能である。このためには、装置は、これらの企業情報システムサービスに対するアクセスを処理するための１つ又は複数のコンフィギュレーションを有する必要がある。セキュリティのためには、企業のＩＴ要員がこれらの設定を制御可能であることが望ましい。従って、装置は、様々な管理関係者からの複数のコンフィギュレーションを有することになり、認可された管理関係者についてのみ特定の構成に対するアクセスを実現可能である必要がある。ＯＭＡ規格「ＳｙｎｃＭＬ  Ｄｅｖｉｃｅ  Ｍａｎａｇｅｍｅｎｔ  Ｐｒｏｔｏｃｏｌ」（バージョン１．１．２、２００３年１２月１２日、４１ページ）に規定されているＯＭＡ  ＤＭプロトコルによれば、管理セッションのセットアップフェーズにおいて、管理サーバーから受信した証明書に基づいて管理サーバーを認証している。又、ＯＭＡ規格「ＳｙｎｃＭＬ  Ｍａｎａｇｅｍｅｎｔ  Ｔｒｅｅ  ａｎｄ  Ｄｅｓｃｒｉｐｔｉｏｎ」（バージョン１．１．２、２００３年１２月２日、４４頁）に示されているように、識別子及びそれぞれの識別子と関連付けられたアクセス権限のリストから構成されたアクセス制御リスト（Ａｃｃｅｓｓ  Ｃｏｎｔｒｏｌ  Ｌｉｓｔ：ＡＣＬ）により、管理ツリーのノードを規定可能である。７．７．１章に記述されているように、ＡＣＬによって認可されたアクセス権限は、ノードを取得、追加、置換、及び／又は除去するべく認可された管理サーバー識別子を定義している。従って、様々なアクセス権限を様々な装置管理サーバーに対して付与可能であり、権限を付与されていない管理サーバーからの装置管理命令は、管理ツリーに対して実行されない。しかしながら、管理ツリーのノードに対する管理サーバーのアクセスを制御する機能以外にも、装置内の構成の使用を制限する一般的なニーズが更に存在している。例えば、企業は、企業のデータ及びサービスを保護するべく、企業のＩＴサービスに対してアクセスするのに使用される端末の更に高度な制御を望んでいる。
【課題を解決するための手段】
【０００７】
本明細書においては、独立請求項に規定されている内容を特徴とする方法、装置管理システム、データ処理装置、及びコンピュータプログラムを提供している。本発明のいくつかの実施例は、従属請求項に記述されている。
【０００８】
本発明の一態様によれば、複数のコンフィギュレーション・データ・セットを有する装置は、外部管理エンティティに由来すると共に／又はこれによって制御されている、コンフィギュレーション・データ・セットにアクセスするアプリケーションの権限を定義するアクセス制御情報を有している。コンフィギュレーション・データ・セットに対するアクセスを要求しているアプリケーションからの通知に応答し、アクセス制御情報をチェックする。アクセス制御情報に基づいて、アプリケーションに、コンフィギュレーション・データ・セットにアクセスする権限が付与されている場合には、コンフィギュレーション・データ・セットに対するアクセスをそのアプリケーションに許可する。
【０００９】
「コンフィギュレーション・データ・セット」という用語は、一般に、装置の１つ又は複数の機能又は装置内のアプリケーションに対して直接又は間接的な影響を及ぼすコンフィギュレーション情報から構成されたデータの組を意味している。例えば、コンフィギュレーション・データ・セットは、装置から接続を実行する際に根拠となるサーバーのＩＰアドレス又はドメイン名を有することができる。
【００１０】
本発明は、コンフィギュレーション・データに対するアプリケーションのアクセスを制御可能にする。具体的には、アクセス権限を外部エンティティによって規定及び／又は制御可能である。装置は、異なるアクセス制御特性を有する複数のコンフィギュレーション・データ・セットを有することができる。例えば、企業情報システム用のアクセス設定を規定しているコンフィギュレーション・データ・セットは、企業のＩＴ要員によって操作されるコンフィギュレーション管理ソフトウェアによって制御可能である。
【００１１】
一実施例によれば、少なくとも１つのサービスコンテキストを装置内に保存しており、このサービスコンテキストは、少なくともコンフィギュレーション・データ・セットを有している。そのアプリケーションが、外部管理エンティティにより、サービスコンテキストと関連付けられたアクセス制御情報内において既定されている場合にのみ、サービスコンテキストに対するアクセスが、アクセス制御情報に基づいてアプリケーションに対して許容される。この結果、恐らくは、アプリケーションによって装置内に保存されたユーザー関連データなどの設定とは関係のないデータをも有する様々な使用法コンテキストを装置内に提供可能である。
【図面の簡単な説明】
【００１２】
【図１】管理システムを示している。
【図２】複数構成を有する装置を示している。
【図３】本発明の一実施例による方法を示している。
【図４ａ】本発明の一実施例による方法を示している。
【図４ｂ】本発明の一実施例による方法を示している。
【発明を実施するための形態】
【００１３】
以下、いくつかの実施例を利用し、添付の図面を参照して、本発明について更に詳しく説明する。
【００１４】
以下においては、ＯＭＡの装置管理をサポートしているシステム内における本発明の一実施例について説明するが、本発明は、管理対象装置内のコンフィギュレーションを外部管理エンティティによって管理可能である任意の装置管理システムに対して適用可能であることに留意されたい。
【００１５】
図１は、ネットワーク接続されたシステムを示している。ネットワークサーバー又はＰＣは、通常、サーバーＳとしてサービスしている。例えば、移動局、ＰＣ、ラップトップコンピュータ、ＰＤＡ（Ｐｅｒｓｏｎａｌ  Ｄｉｇｉｔａｌ  Ａｓｓｉｓｔａｎｔ）装置、又はこれらのモジュールは、端末ＴＥとしてサービス可能である。以下の実施例においては、装置管理のために、端末ＴＥが装置管理クライアントとしてサービスしており、サーバーＳが装置管理サーバーとしてサービスしているものと仮定している。サーバーＳは、複数のクライアントＴＥを管理可能である。
【００１６】
図１の第１の例においては、クライアントＴＥ及び管理サーバーＳは、ローカルエリアネットワークＬＡＮに接続されている。ネットワークＬＡＮに接続されたクライアントＴＥは、ネットワークＬＡＮ内の装置と通信するべく、例えば、データ伝送を制御するネットワークカード及びソフトウェアなどの機能を有している。ローカルエリアネットワークＬＡＮは、任意の種類のローカルエリアネットワークであってよい。又、ＴＥは、通常、ファイアウォールＦＷを使用することにより、インターネットを通じてサーバーＳに接続することも可能である。又、端末ＴＥは、アクセスポイントＡＰを通じてローカルエリアネットワークＬＡＮに無線で接続することも可能である。
【００１７】
第２の例においては、クライアントＴＥは、モバイルネットワークＭＮＷを通じてサーバーＳと通信している。ネットワークＭＮＷに接続されている端末ＴＥは、ネットワークＭＮＷと無線で通信するための移動局機能を有している。又、モバイルネットワークＭＮＷとサーバーＳの間には、ローカルエリアネットワークＬＡＮなどのその他のネットワークが存在可能である。モバイルネットワークＭＮＷは、例えば、ネットワークをサポートしているＧＳＭサービス、ネットワークをサポートしているＧＰＲＳ（Ｇｅｎｅｒａｌ  Ｐａｃｋｅｔ  Ｒａｄｉｏ  Ｓｅｒｖｉｃｅ）サービス、３ＧＰＰ（３rd  Ｇｅｎｅｒａｔｉｏｎ  Ｐａｒｔｎｅｒｓｈｉｐ  Ｐｒｏｊｅｃｔ）のネットワーク規格に準拠したネットワークなどの第３世代モバイルネットワーク、無線ローカルエリアネットワークＷＬＡＮ、プライベートネットワーク、又はいくつかのネットワークの組み合わせなどの任意の無線ネットワークであってよい。これらの例以外にも、端末ＴＥ間における管理接続や、その他のネットワーク要素を伴わない無線又は有線接続を使用した端末ＴＥとサーバーＳ間の直接的な管理接続などの多数のその他の装置管理コンフィギュレーションも可能である。
【００１８】
端末ＴＥ及びサーバーＳは、メモリ、ユーザーインターフェイス、データ伝送用のＩ／Ｏ手段、及び１つ又は複数のプロセッサを有する中央処理装置を有している。メモリは、中央処理装置を制御するアプリケーションを保存すると共にその他の情報を保存するための不揮発性部分と、一時的なデータ処理に使用される揮発性部分と、を具備している。
【００１９】
中央処理装置内において実行されるコンピュータプログラムコード部分により、サーバーＳは、端末ＴＥ内においてサービスコンテキストを確立及び管理する本発明による手段を実装可能であり、このいくつかの実施例が図４ａとの関連において示されている。又、端末ＴＥの中央処理装置内において実行されるコンピュータプログラムコード部分により、端末ＴＥは、端末内にコンフィギュレーションを提供すると共に端末ＴＥ内におけるコンフィギュレーションの使用を許可する本発明による手段を実装することも可能であり、このいくつかの実施例が、図２、図３、図４ａ、及び図４ｂとの関連において示されている。本発明による機能は、１つ又は複数のエンティティよって実行可能であることに留意されたい。例えば、図３に示されている機能のいくつかは、端末ＴＥ内の特定のアクセスコントローラによって実行され、いくつかのその他の機能は、端末ＴＥ内のアプリケーションによって実行されている。コンピュータプログラムは、任意のストレージ媒体上に保存可能であり、コンピュータプログラムを稼動させている装置ＴＥ、Ｓのメモリ内に、このストレージ媒体から読み込み可能である。又、コンピュータプログラムは、例えば、ＴＣＰ／ＩＰプロトコルスタックを使用することにより、ネットワークを通じて読み込むことも可能である。又、ハードウェアソリューション又はハードウェア及びソフトウェアソリューションの組み合わせを使用することにより、本発明の手段を実装することも可能である。一実施例においては、装置ＴＥ及び／又はＳを制御しているチップユニット又はなんらかのその他のタイプのモジュールにより、装置ＴＥ及び／又はＳは、本発明の機能を実行可能である。例えば、サーバーＳから端末ＴＥへのデータ伝送ネットワーク上において、サービスコンテキスト固有の情報を有するデータ構造を転送し、端末ＴＥのメモリ内に保存可能である。
【００２０】
一実施例においては、端末ＴＥ及びサーバーＳは、ＯＭＡ  ＤＭ（Ｄｅｖｉｃｅ  Ｍａｎａｇｅｍｅｎｔ）をサポートするべく構成されている。ＯＭＡの装置管理クライアントとしてサービスしている端末ＴＥは、クライアント内の管理セッションに関連した機能を処理するクライアントエージェント機能を有している。装置管理サーバーとしてサービスしているサーバーＳは、管理セッションを管理するサーバーエージェント又はサーバーマスタ機能を有している。但し、これらの機能の適用は、任意の固有の装置に限定されたものではなく、場合によっては、クライアント及びサーバー機能を単一の物理的装置内において実行することも可能であるという点に留意されたい。ＴＥのメモリ内に保存されている１つ又は複数の管理ツリーは、その端末ＴＥ内における管理可能なオブジェクトを表している。管理ツリーは、ノードから構成されており、これは、１つ又は複数のノード又はノードの少なくとも１つのパラメータから形成された少なくとも１つの管理オブジェクトを定義している。ノードは、個別のパラメータ、サブツリー、又はデータコレクションであってよい。ノードは、少なくとも１つのパラメータを有することが可能であり、これは、構成値又は（ノード内の背景画像ファイルなどの）ファイルであってよい。又、ノードのコンテンツは、別のノードに対するリンクであってもよい。それぞれのノードは、ＵＲＩ（Ｕｎｉｆｏｒｍｅｄ  Ｒｅｓｏｕｒｃｅ  Ｉｄｅｎｔｉｆｉｅｒ）によってアドレス指定可能である。認可された装置管理サーバーは、管理ツリー内のノードのコンテンツを追加（動的）及び変更可能である。
【００２１】
図２は、複数のコンフィギュレーションを有する端末ＴＥの環境２００を示している。環境２００には、１つ又は複数のサービスコンテキスト２０３が提供されている。サービスコンテキスト２０３は、アクセスが制御されている端末ＴＥ内のエリアと見なすことができる。従って、端末ＴＥ内のサービスコンテキスト固有のストレージエリア内に保存されている情報により、サービスコンテキスト２０３を規定又は形成可能である。一実施例においては、サービスコンテキスト２０３は、例えば、インターネットアクセスサービスなどのサービスにアクセスするべく使用される端末ＴＥ内における様々なコンフィギュレーションを表している。サービスコンテキスト２０３からの矢印によって示されているように、コンフィギュレーションを表しているサービスコンテキスト２０３は、証明書２０６、設定２０５、及び／又はサービスコンテキスト固有のその他のタイプのデータ２０８を有することができる。図２に示されているように、サービスコンテキスト２０３に属する情報は、複数のストレージ場所又は単一のストレージ位置に保存可能である。例えば、サービスコンテキスト２０３は、ファイルシステム２０７内に保存されている機密ユーザーデータ２０８及び中央リポジトリ２０４内に保存されている設定２０５及び証明書２０６を有する（又は、これらと関連付ける）ことが可能であり、この中央リポジトリは、サービスコンテキスト情報用の固有のストレージであってよい。サービスコンテキスト２０３に属するデータ２０８は、端末ＴＥ内において受信された又はアプリケーション２０２に由来する任意のデータであってよい。例えば、ユーザーは、サービスコンテキスト２０３に属するデータ２０８として保存されるカレンダーエントリを入力可能である。
【００２２】
安全な実行環境２０１は、サービスコンテキスト２０３の情報に対するアクセスを制御可能であり、サービスコンテキストのコンテンツを有するストレージ位置を保護可能である。図２には、示されていないが、実行環境２０１は、サービスコンテキスト情報に対するアクセスを制御するべく構成されたアクセスコントローラを有することができる。サービスコンテキストマネージャ２１１の一実施例においては、サービスコンテキスト２０３に属する情報にアクセスするための権限を外部管理エンティティがアプリケーション２０２に対して認可可能である。外部管理エンティティ（２１１）に由来する及び／又はこれによって制御されているアクセス制御情報（ＡＣＩ）２１２は、サービスコンテキスト２０３にアクセスする権限を定義する端末ＴＥ内に保存可能である。又、実行環境２０１は、サービスコンテキスト２０３にアクセスするべく認可されたアプリケーション２０２とサービスコンテキスト情報を有する１つ又は複数のストレージ位置の間のデータ転送を保護することも可能である。一実施例においては、少なくともいくつかのセキュリティサービスを端末ＴＥのオペレーティングシステムによって提供している。
【００２３】
アプリケーション２０２は、端末環境２００の安全な実行環境２０１の内部において実行可能である。１つ又は複数のサービスコンテキスト２０３に対するアクセスは、アクセス制御情報２１２によって認められている場合に、端末ＴＥのユーザー用のサービスを起動するべく、アプリケーション２０２に対して提供される。このアクセス制御情報２１２は、端末ＴＥ内において、多数の方法によって定義可能である。例えば、サービスコンテキスト２０３にアクセスする権限が付与されているエンティティを識別するファイルを端末ＴＥ内に保存可能であり、このファイル内において直接又は間接的に識別されているエンティティに対してのみサービスコンテキスト２０３に対するアクセスを提供するように端末ＴＥを構成するのである。アクセス制御情報２１２は、端末ＴＥ内において、例えば、サービスコンテキストのアクセス制御機能を実装するソフトウェアコンポーネントのパラメータとして定義することも可能であろう。この結果、サービスコンテキスト２０３にアクセスするための権限付与状態を定義するアクセス制御規則が端末ＴＥに提供されることになる。アクセス制御情報ファイルは、アプリケーション識別子のリスト、又はアプリケーション供給源識別子のリストであってよい。但し、アプリケーション識別子の代わりに（又は、これに加えて）、アプリケーショングループ又はアプリケーション実行環境などの端末ＴＥ内のその他のエンティティのアクセス制御情報をアクセス制御情報によって指定することも可能であろう。アクセス制御情報２１２は、サービスコンテキスト又はサービスコンテキストグループ固有のものであってよい。例えば、アクセス制御情報２１２は、様々な使用法の状況に対して適合された企業アクセス用の複数の様々なプロファイルを有することができる。一実施例においては、この管理アクセス制御情報２１２は、サービスコンテキスト情報に属している。
【００２４】
一実施例によれば、アプリケーション２０２と関連付けられた識別子を確実に定義するべく、アプリケーション２０２の証明書２０６をチェックしている。次いで、端末ＴＥは、この識別子に基づいて、アプリケーション２０２に、サービスコンテキスト２０３にアクセスするための権限が付与されているかどうかをチェックするように構成されている。これらの証明書２０６は、サービスコンテキスト情報内（例えば、中央リポジトリ２０４内の証明書２０６）及び／又はサービスコンテキスト２０３外（例えば、ファイルシステム２０７内のアプリケーション２０２内）に保存可能である。証明書２０６は、端末ＴＥ内の少なくとも１つのアプリケーション２０２と関連付けられている。証明書２０６は、関連するアプリケーション２０２の完全性及び供給源を証明するべく、一般的な認証機関やアプリケーションの開発者などの信頼できる第三者によって発行及び署名されている。証明書２０６は、例えば、アプリケーションをインストールする際に、アクセス制御情報２１２とは別個に、端末ＴＥ用に入手可能であり、或いは、場合によっては、これが、管理エンティティからのサービスコンテキスト情報又はアクセス制御情報の一部を構成していてもよい。一実施例においては、特定のサービスコンテキスト２０３にアクセスするためのアプリケーション２０６の権限をチェックするべく、アクセス制御手順において証明書２０６を取得可能であることに留意されたい。証明書２０６は、受領者がその証明書が本物であることを検証できるように、証明書の所有者の名前、連番、満了期日、証明書の所有者のパブリックキーのコピー、及び発行者のデジタル署名の中の少なくともいくつかを包含可能である。
【００２５】
又、図２の破線によって示されているように、認可された外部管理エンティティ２１１によってサービスコンテキスト２０３を管理することも可能である。これは、サービスコンテキスト２０３に属する情報のいくつか又はすべてを外部管理エンティティ２１１によって判読、追加、変更、及び／又は除去可能であることを意味している。一実施例においては、ＯＭＡ  ＤＭがサービスコンテキスト２０３の管理に適用されている。サービスコンテキスト２０３の情報の少なくともいくつかを管理ツリー内に保存可能であり、この管理ツリーをＯＭＡ装置管理サーバー（Ｓ）からの装置管理命令に基づいて装置管理エージェントによって変更している。
【００２６】
図３は、端末ＴＥ内においてサービスコンテキストを使用する一実施例の方法を示している。段階３０１において、アプリケーション２０２によるサービスを起動するニーズが存在しており、この結果、アプリケーション２０２は、サービスのセットアップ又はなんらかのその他の目的のために、１つ又は複数のサービスコンテキスト２０３の下に保存されている情報を必要としている。このニーズは、通常、ユーザー入力に基づいて発生するものであるが、外部装置からの命令などのなんらかのその他のトリガに基づいてサービスを起動する場合もあろう。段階３０２において、そのサービスに利用可能なサービスコンテキスト２０３をチェック可能である。チェック３０２、３０３により、複数のサービスコンテキスト２０３が利用可能であることが明らかになった場合には、好ましいサービスコンテキスト２０３を選択する３０５。例えば、端末ＴＥは、好ましい順序でサービスコンテキスト２０３を示している選好リストを保存可能である。段階３０５においては、既定のサービスコンテキスト２０３を選択可能であろう。一方、複数のものが利用可能ではない場合には、利用可能なサービスコンテキスト２０３を選択する３０４。段階３０１〜３０５を実行するべく、アプリケーション２０２（又は、アプリケーションマネージャ）を適合可能である。図３には図示されていないが、サービスコンテキストの選択手順は、サービスコンテキストを選択すると共に／又は、サービスコンテキストの選択内容を確認するように、端末ＴＥのユーザーに対して要求する段階を伴うことになろう。
【００２７】
次いで、本方法は、段階３０６に進み、選択されたサービスコンテキストに対するアクセスを要求するか、或いは、さもなければ、サービスコンテキスト固有のデータに対してアクセスするニーズについて通知する。管理エンティティからの及び／又はこれによって制御されているアクセス制御情報２１２に基づいて、アプリケーション２０２によるサービスコンテキスト２０３へのアクセスが認可されているかどうかをチェックする３０７。関連するアクセス制御情報２１２は、ＴＥのメモリから入手することも可能であり、或いは、一実施例においては、外部管理エンティティ２１２などの外部エンティティに対してアクセス制御情報を要求し、これを受信するべく、端末ＴＥを構成することも可能である。管理エンティティは、サービスコンテキストマネージャ２１１や、例えば、証明書２０６を発行したエンティティなどのなんらかのその他のエンティティであってよい。アプリケーション２０２が認可されていない場合には、アプリケーション２０２によるサービスコンテキスト２０３へのアクセスを拒絶する３０８。
【００２８】
一実施例によれば、段階３０７は、２つのサブステップを有している。第１に、サービスコンテキスト２０３に対するアクセスを必要としているアプリケーション２０２と関連付けられた証明書２０６をチェックする。証明書２０６をチェックすることにより、アプリケーション２０２の完全性及び／又は供給源を確認可能である。第２のサブステップにおいては、アプリケーション２０２の証明書２０６から入手した識別子を既定のアクセス制御情報２１２内の識別子と比較する。一実施例においては、第２のサブステップにおいて、証明書２０６からのアプリケーション供給源識別子をアクセス制御情報２１２内の既定のアプリケーション供給源識別子と比較可能である。本実施例におけるアクセス制御情報２１２は、サービスコンテキスト２０３を使用するべく認可されているアプリケーション、アプリケーションのグループ、又はアプリケーション供給源を規定している。従って、アプリケーション２０２の証明書２０６からの識別子をアクセス制御情報２１２内において見出すことができる場合には、そのアプリケーションは認可されている。
【００２９】
チェック３０７に基づいて、アプリケーション２０２が認可されている場合には、アプリケーションは、サービスコンテキスト２０３と関連付けられている情報にアクセス可能であり３０９、次いで、アプリケーション２０２は、関連するサービスコンテキスト情報に基づいてサービスを起動可能である３１０。
【００３０】
一実施例においては、サービスコンテキスト２０３は、サービスにアクセスするべく、端末ＴＥから１つ又は複数のネットワークリソースへの接続を確立するのに必要な設定を有している（又は、これと関連付けられている）。従って、アプリケーション２０２は、段階３１０において、これらの設定を使用して接続を確立可能である。これらの設定は、電子メールサーバーや電子メールアカウントなどの企業のイントラネットリソースに対するアクセスを規定可能であろう。但し、サービスコンテキスト２０３を使用可能な多数のその他のサービスも存在している。
【００３１】
一実施例においては、端末ＴＥは、サービスコンテキスト２０３に属する又はこれと関連付けられたアクセス制御アプリケーション（固有）データ２０８を有しており、アプリケーションデータ２０８に対するアクセスは、外部管理エンティティ２１１によって認可されたアプリケーション２０２に対してのみ提供されるようになっている。アプリケーションデータ２０８は、通常、ユーザーと関連付けられており、ユーザー入力に基づいて、端末ＴＥ内においてアプリケーション２０２によって保存されている。段階３１０においては、企業の電子メールからなるファイルなどのアプリケーションデータ２０８をアプリケーション２０２（この例においては、これは、電子メールクライアントアプリケーションである）により、表示すると共に、恐らくは、更に処理可能であろう。
【００３２】
アプリケーション２０２を使用する際にサービスコンテキスト２０３を選択又は定義可能である。アプリケーション２０２を起動する際に（並びに／又は、新しいコンテンツをサービスコンテキスト情報として規定する際に）サービスコンテキスト２０３を選択可能である。例えば、電子メールアプリケーションを起動する際に、ユーザーは、所望のプロファイル又は電子メールアカウントを選択し、これにより、そのプロファイル又は電子メールアカウントと関連付けられているサービスコンテキストが選択されることになる。この結果、後から、アプリケーション２０２がサービスコンテキスト２０３情報に対するアクセスを必要とする際には、段階３０２〜３０５は不要であり、関連するサービスコンテキスト２０３内の情報を使用することにより、例えば、リモート電子メールサーバーに対する接続を確立可能である。別の実施例においては、電子メールメッセージなどのユーザーデータ項目について、サービスコンテキスト２０３を規定可能である。このサービスコンテキスト２０３は、データ項目の保存との関連において選択可能であろう。例えば、ユーザーが電子メールの作成を終了し、そのメールを保存するべく選択した際に、利用可能な（電子メールアプリケーション用の）サービスコンテキスト２０３がユーザーに対して示される。この結果、ユーザーは、そのデータ項目を関連付けるサービスコンテキストと、従って、恐らくは、データ項目のストレージ位置を選択可能であり、データ項目は、これに相応して保存されることになる。このデータ項目は、任意のその他のサービスコンテキスト２０３の固有データとして後から使用可能である（即ち、このデータ項目に対するアクセスは、認可されたアプリケーション２０２に対してのみ許容されることになる）。
【００３３】
一実施例においては、特定のアクセスコントローラエンティティなどの安全な実行環境２０１内のセキュリティ手順により、サービスコンテキスト２０３に対するアクセスを制御している（段階３０７〜３０９）。実行環境２０１によってアプリケーション２０２用のサービスコンテキスト２０３をチェックし３０３、選択する３０４、３０５ことも可能である。特定のサービスコンテキストセレクタを安全な実行環境２０２内に提供可能である。
【００３４】
別の実施例においては、サービスコンテキスト２０３へのアクセスを必要としているアプリケーション２０２が利用可能なサービスコンテキスト２０３が、段階３０２において既にチェックされている。この実施例においては、アプリケーション２０２の証明書がアクセスを許容している（又は、なんらかのその他の手段によってアプリケーションにアクセスが認可されている）サービスコンテキスト２０３のみが、サービスについて考慮されている。この実施例においては、サービスコンテキスト２０３に対するアクセスは、認可されたアプリケーション２０２によってのみ試みられており、従って、不必要な要求が回避されている。
【００３５】
図４ａ及び図４ｂは、一実施例に従って、サーバーＳによって端末ＴＥ内のサービスコンテキスト２０３を確立及び／又は変更する方法を示している。図４ａには、装置管理サーバーとして機能しているサーバーＳの機能が示されている。段階４０１において、管理対象の端末装置ＴＥ内において新しいサービスコンテキスト２０３を生成すると共に／又は既存のサービスコンテキスト２０３を変更するニーズが存在している。別の実施例においては、サービスコンテキスト２０３に関連したアクセス制御情報２１２を追加又は変更するニーズが存在している。
【００３６】
次いで、サーバーＳ内の装置管理サーバー機能と端末ＴＥ内の装置管理クライアント機能の間に装置管理セッションを確立している４０２。ＯＭＡ規格「ＳｙｎｃＭＬ  Ｄｅｖｉｃｅ  Ｍａｎａｇｅｍｅｎｔ  Ｐｒｏｔｏｃｏｌ」（バージョン１．１．２、２００３年１２月１２日、４１頁）に示されている従来のＯＭＡ  ＤＭセッション確立機能を利用可能である。
【００３７】
１つ又は複数の装置管理命令内において、例えば、接続設定２０５などのサービスコンテキスト関連情報及び／又はアクセス制御情報２１２を規定している４０３。本実施例においては、１つ又は複数の装置管理命令内のサービスコンテキスト情報の少なくともいくつかを、１つ又は複数のサービスコンテキスト固有の装置管理ツリーノードに対してアドレス指定している。管理命令を端末ＴＥに対して伝送している４０４。
【００３８】
図４ｂは、サービスコンテキスト関連情報を受信する端末ＴＥ内の機能を示している。段階４１０において、装置管理命令を装置管理サーバー（Ｓ）から受信している。アクセス制御情報を含むサービスコンテキスト関連データは、端末ＴＥ内に保存可能である。具体的には、段階４１１において、端末ＴＥ内の装置管理クライアントは、受信した装置管理命令に基づいて必要なアクションを定義している。次いで、サービスコンテキスト２０３に関連した新しい及び／又は変更された情報により、端末ＴＥ内の装置管理ツリーを変更可能である。例えば、ノードを変更するべく認可された唯一の装置管理サーバーであるサーバーＳを定義しているＡＣＬリストにより、新しいノードを追加可能である。管理ツリーは、管理対象情報に対するビューとしてのみ機能可能であり、従って、管理対象情報は管理ツリー外に保存可能であることに留意されたい。
【００３９】
尚、サービスコンテキスト２３０の生成が初めてであり、且つ、端末ＴＥに装置管理が導入されていない場合には、サービスコンテキスト固有の管理命令の前に、まず、ＯＭＡクライアント導入法を使用することにより、装置管理を起動及び構成可能である。このために、段階４０２及び４１０において、導入を実行するための接続を利用可能である。
【００４０】
管理ツリーは、アクセス制御情報２１２がサービスコンテキスト２０３の一部を構成していない場合にも、アクセス制御情報２１２用の１つ又は複数のノードを有することができる。前述のものと同様に、アクセス制御情報２１２用のノードに対してアドレス指定された装置管理命令を利用することにより、アクセス制御情報２１２の変更、削除、追加を実行可能である。従って、外部管理エンティティは、管理対象装置ＴＥ内のアクセス制御構成を容易に変更可能である。尚、図４ａ及び図４ｂは、模範的なものに過ぎないことに留意されたい。例えば、管理セッションを確立する前に、装置管理命令を形成可能であろう。一実施例においては、例えば、ユーザーなどの端末ＴＥ内の認可された関係者により、サービスコンテキスト２０３を生成又は変更可能である。サービスコンテキスト情報にアクセスする際には、図３の段階３０６〜３０９と関連して前述したものと同様の手順を利用可能である。従って、サービスコンテキスト２０３の情報を変更するべく装置管理メカニズムを適用する必要はない。
【００４１】
一実施例においては、サービスコンテキストマネージャ２１１又はサービスプロバイダ（図４ａの実施例においては、これは、サーバーＳである）は、適切なサービスコンテキストが端末ＴＥ内に提供されていると共に／又は、適切に使用されていることをチェック可能である。従って、サービスプロバイダは、正しい設定が提供されており、且つ、信頼できる供給源からのアプリケーションのみが使用されていることをチェック可能である。このチェックは、このサービスコンテキストデータを有するノードに対してＯＭＡ  ＤＭのＧＥＴ命令を使用することによって実装可能であろう。この実施例は、段階４０４及び４１２の後に（或いは、例えば、端末ＴＥ内のアプリケーション２０２からサービス要求を受信した後などのなんらかのその他の時点において）実装可能である。
【００４２】
段階４０２、４０３、４１０、及び４１１においては、装置管理プロトコルのメカニズム及びこのために定義されたメッセージを利用可能であり、ＯＭＡ装置管理プロトコル及びその他の命令の更に詳しい説明については、例えば、ＯＭＡ規格「ＳｙｎｃＭＬ  Ｄｅｖｉｃｅ  Ｍａｎａｇｅｍｅｎｔ  Ｐｒｏｔｏｃｏｌ」（バージョン１．１．２、２００３年１２月１２日、４１頁）及びＯＭＡ規格「ＳｙｎｃＭＬ  Ｒｅｐｒｅｓｅｎｔａｔｉｏｎ  Ｐｒｏｔｏｃｏｌ  Ｄｅｖｉｃｅ  Ｍａｎａｇｅｍｅｎｔ  Ｕｓａｇｅ」（バージョン１．１．２、２００３年６月１２日、３９頁）を参照されたい。
【００４３】
一実施例によれば、アクセス制御情報２１２に基づいて、サービスコンテキスト２０３のコンテンツを異なるアクセス制御規則及び／又はアクセス権限レベルと関連付け可能である。更なる実施例においては、異なるアクセス規則をサービスコンテキスト２０３の異なる部分に適用している。例えば、企業の電子メールサーバーに対する接続を規定しているサービスコンテキスト２０３の設定２０５は、（サービスコンテキスト２０３にアクセスするべく認可されたアプリケーション２０３によって）判読可能ではあるが、変更可能ではなく、サービスコンテキスト２０３と関連付けられたファイルシステム２０７内のデータ２０８に対するアクセスは、判読及び変更の両方が可能である。この実施例においては、アクセス制御の観点において、サービスコンテキスト２０３のコンテンツを差別化可能である。
【００４４】
前述の実施例として適用可能ないくつかの模範的な規則は、判読権限（サービスコンテキストのすべて又は特定の部分のみ）、削除権限、及び追加権限である。アクセス制御規則及び／又は権限レベルをアクセス制御情報２１２又はなんらかのその他のストレージ内に規定可能である。一実施例においては、ＸＡＣＭＬ（Ｅｘｔｅｎｓｉｂｌｅ  Ａｃｃｅｓｓ  Ｍａｒｋｕｐ  Ｌａｎｇｕａｇｅ）によってアクセスポリシーを規定している。ＯＭＡ  ＤＭを適用した場合には、関連するサービスコンテキスト関連データに対してアクセスするべく認可された１つ又は複数の外部装置管理サーバーを判定するべく、管理ツリー内においてアクセス制御リストを規定可能である（即ち、ＯＭＡ  ＤＭのアクセス制御リストによって外部管理エンティティを規定可能である）。
【００４５】
代替又は補完実施例においては、アクセス制御情報２１２に基づいて、様々なアクセス制御規則をサービスコンテキスト２０３の様々なユーザーと関連付けている。この実施例においては、例えば、端末ＴＥの様々なアプリケーション２０２及びユーザーに対して様々なアクセス権限を適用可能である。一例として、端末ＴＥのユーザー又は加入者及びサービスコンテキスト２０３が由来している及び／又はこれを制御している外部管理エンティティによってのみ変更可能となるように、サービスコンテキスト２０３（又は、この一部）を設定可能である。
【００４６】
一実施例においては、端末ＴＥのユーザー又は加入者には、端末ＴＥからサービスコンテキスト２０３を除去又は削除する権限が常に付与されている。サービスを入手するには、サービスコンテキスト２０３が必要であるため、サービスコンテキスト２０３が削除された後には、端末ＴＥを使用してサービスにアクセスすることはできない。この結果、サービスコンテキスト２０３の完全な制御を管理者２１１に対して付与する必要はなく、且つ、ユーザーも、自身の端末を制御する権限を放棄する必要はない。端末にサービスコンテキストを強制する必要はないが、ユーザー／加入者がサービスの使用を所望する場合には、端末ＴＥ内にサービスコンテキストを受け入れればよい。サービスコンテキスト２０３自体は、認可された管理エンティティ（２１１）のみが変更できるように設定可能であるため、サービスコンテキスト２０３を変更するためのユーザーのアクセスは、防止可能である。
【００４７】
更なる実施例においては、ユーザーによって削除されたサービスコンテキスト２０３について、認可された管理エンティティ２１１に対して通知する能力が提供されている。認可された管理エンティティ２１１に対してメッセージを伝送し、端末ＴＥからのサービスコンテキスト２０３の削除について通知するように、ユーザー入力に基づいてサービスコンテキスト２０３の削除を処理する機能又はアプリケーション２０３を構成可能である。別の実施例においては、削除されたものを検出するべく、端末ＴＥ内において（参照が認可されている）サービスコンテンツ２０３をチェックするように、認可された管理エンティティ２１１を構成している。例えば、ＯＭＡ  ＤＭ手順により、サービスコンテキストデータを有するノードに対する定期的なチェックを実行可能である。
【００４８】
以上の実施例は、任意に組み合わせることによって適用することも可能であることに留意されたい。当業者には、技術の進歩に伴い、本発明の基本的な概念を多数の異なる方法によって実現可能であることが明らかであろう。従って、本発明及びその実施例は、前述の例に限定されるものではなく、添付の請求項の範囲内において変化可能である。
【図１】
0005977018.tif 000002
【図２】
0005977018.tif 000003
【図３】
0005977018.tif 000004
【図４ａ】
0005977018.tif 000005
【図４ｂ】
0005977018.tif 000006